(57)【要約】【課題】補助配線を有し且つ額縁領域の狭いＴＦＴ型液晶表示装置を提供する。【解決手段】  ＴＦＴ型液晶表示装置１００は、第１基板１１と、第１基板上に形成された、ゲートバスライン１２と、ソースバスライン１４と、これらに接続されたＴＦＴ１６と、ＴＦＴを介してソースバスラインに接続された画素電極１７とを有するＴＦＴ基板１０と、第２基板２１と、第２基板上に形成された、ブラックマトリクス２６と、対向電極２２とを有する対向基板２０と、ＴＦＴ基板と対向基板との間に設けられた液晶層３０とを有する。ＴＦＴ基板は、ゲートバスラインおよびソースバスラインと絶縁層を介して交差するように設けられ、且つ、液晶層を介して対向電極およびブラックマトリクスと対向する部分を含む補助配線１８をさらに有し、ブラックマトリクス２６の補助配線１８と対向する部分は他の部分よりも厚さが小さい部分２６ａを含む。【選択図】  図２
2010014973.tif 000002
【特許請求の範囲】
【請求項１】
第１基板と、前記第１基板上に形成された、ゲートバスラインと、ソースバスラインと、前記ゲートバスラインおよび前記ソースバスラインに接続されたＴＦＴと、前記ＴＦＴを介して前記ソースバスラインに接続された画素電極とを有するＴＦＴ基板と、
第２基板と、前記第２基板上に形成された、ブラックマトリクスと、対向電極とを有する対向基板と、
前記ＴＦＴ基板と前記対向基板との間に設けられた液晶層と
を有するＴＦＴ型液晶表示装置であって、
前記ＴＦＴ基板は、前記ゲートバスラインおよび前記ソースバスラインと絶縁層を介して交差するように設けられ、且つ、前記液晶層を介して前記対向電極および前記ブラックマトリクスと対向する部分を含む補助配線をさらに有し、
前記ブラックマトリクスの前記補助配線と対向する部分は他の部分よりも厚さが小さい部分を含む、液晶表示装置。
【請求項２】
前記ブラックマトリクスの前記補助配線と対向する部分は、貫通孔を含む、請求項１に記載の液晶表示装置。
【請求項３】
前記ブラックマトリクスは、黒色樹脂層で形成されている、請求項１または２に記載の液晶表示装置。
【発明の詳細な説明】
【技術分野】
【０００１】
本発明は、液晶表示装置に関し、特にＴＦＴをスイッチング素子として備えるアクティブマトリクス型液晶表示装置に関する。
【背景技術】
【０００２】
ＴＦＴをスイッチング素子として備えるアクティブマトリスク型液晶表示装置（以下、ＴＦＴ型液晶表示装置という。）は、ＴＦＴ基板と、対向基板と、これらの間に設けられた液晶層とを有している。ＴＦＴ基板は、ガラス基板と、ガラス基板上に形成された、ソースバスラインと、ゲートバスラインと、これらに接続されたＴＦＴと、ＴＦＴを介してソースバスラインに接続された画素電極とを有している。対向基板は、ガラス基板と、ガラス基板上に形成された、カラーフィルタ層と、ブラックマトリクスと、対向電極とを有している。さらに、液晶表示装置には、必要に応じて、配向膜、偏光板、位相差板などがさらに設けられる。
【０００３】
ＴＦＴ基板のゲートバスラインおよびソースバラインに断線が生じることがある。断線が生じる原因としては、ストレスマイグレーション、下地の段差、および製造不良などがある。
【０００４】
ゲートバスラインまたはソースバスラインに断線が発生すると、そのバスラインにＴＦＴを介して関連付けられている画素は欠陥となるので、線状の表示欠陥となる。
【０００５】
線状の表示欠陥の発生を防止するために、補助配線を設けて断線を修復する方法が従来から提案されている。例えば、特許文献１には、表示領域外かつ対向基板の枠外に、ゲートバスラインおよびソースバスラインと絶縁膜を介して交差するように補助配線を設け、断線が発生したバスラインと補助配線とが交差する部分を電気的に短絡させる方法が開示されている。
【特許文献１】特開平5-203986号公報
【発明の開示】
【発明が解決しようとする課題】
【０００６】
しかしながら、特許文献１の構成を採用するためには、対向基板の枠外に補助配線を形成する領域を設ける必要があるので、液晶表示装置の額縁領域（表示領域の外側の領域）が大きくなるという問題がある。
【０００７】
本発明は上記課題を解決するためになされたものであり、補助配線を有し且つ額縁領域の狭いＴＦＴ型液晶表示装置を提供することを目的とする。
【課題を解決するための手段】
【０００８】
本発明の液晶表示装置は、第１基板と、前記第１基板上に形成された、ゲートバスラインと、ソースバスラインと、前記ゲートバスラインおよび前記ソースバスラインに接続されたＴＦＴと、前記ＴＦＴを介して前記ソースバスラインに接続された画素電極とを有するＴＦＴ基板と、第２基板と、前記第２基板上に形成された、ブラックマトリクスと、対向電極とを有する対向基板と、前記ＴＦＴ基板と前記対向基板との間に設けられた液晶層とを有するＴＦＴ型液晶表示装置であって、前記ＴＦＴ基板は、前記ゲートバスラインおよび前記ソースバスラインと絶縁層を介して交差するように設けられ、且つ、前記液晶層を介して前記対向電極および前記ブラックマトリクスと対向する部分を含む補助配線をさらに有し、前記ブラックマトリクスの前記補助配線と対向する部分は他の部分よりも厚さが小さい部分を含むことを特徴とする。
【０００９】
ある実施形態において、前記ブラックマトリクスの前記補助配線と対向する部分は、貫通孔を含む。
【００１０】
ある実施形態において、前記ブラックマトリクスは、黒色樹脂層で形成されている。
【発明の効果】
【００１１】
本発明によると、補助配線を有し且つ額縁領域の狭いＴＦＴ型液晶表示装置が提供される。
【発明を実施するための最良の形態】
【００１２】
以下、図面を参照して本発明による実施形態のＴＦＴ型液晶表示装置を説明する。
【００１３】
図１および図２に、本発明による実施形態のＴＦＴ型液晶表示装置１００の構造を模式的に示す。図１は液晶表示装置１００の模式的な平面図であり、図２は図１中のＡ−Ｂ線に沿った液晶表示装置１００の模式的な部分断面図である。
【００１４】
液晶表示装置１００は、ＴＦＴ基板１０と、対向基板（カラーフィルタ基板）２０と、ＴＦＴ基板１０と対向基板２０との間に設けられた液晶層３０とを有する。
【００１５】
ＴＦＴ基板１０は、ガラス基板１１と、ガラス基板１１上に形成された、ゲートバスライン１２と、ソースバスライン１４と、ゲートバスライン１２およびソースバスライン１４に接続されたＴＦＴ１６と、ＴＦＴ１６を介してソースバスライン１４に接続された画素電極１７とを有する。
【００１６】
対向基板２０は、ガラス基板２１と、ガラス基板２１上に形成された、カラーフィルタ層２４と、ブラックマトリクス２６と、対向電極２２とを有する。なお、カラーフィルタ層２４は省略され得る。液晶表示装置１００は表示領域（「アクティブ領域」といわれることもある。）１０Ｄと、表示領域１０Ｄの外側に額縁領域１０Ｆとを有しており、カラーフィルタ層２４は表示領域１０Ｄに形成されており、ブラックマトリクス２６は額縁領域１０Ｆに形成されている。なお、額縁領域１０Ｆは、表示領域１０Ｄの外側の非表示領域の全体を指し、対向基板２０の外側のＴＦＴ基板１０の領域も含む。
【００１７】
ＴＦＴ基板１０は、ゲートバスライン１２およびソースバスライン１４と絶縁層（不図示）を介して交差するように設けられ、且つ、液晶層３０を介して対向電極２２およびブラックマトリクス２６と対向する部分を含む補助配線１８をさらに有している。補助配線１８はその全体が対向電極２２およびブラックマトリクス２６と対向する領域に形成されている。
【００１８】
ここでは、補助配線１８は、額縁領域１０Ｆにおいて、ゲートバスライン１２に平行な２本の直線部分と、ソースバスライン１４に平行な１本の直線部分とを有するコの字状に形成されているが、これに限られず、表示領域１０Ｄを包囲するロの字状に形成してもよい。なお、補助配線１８の本数は、断線の発生率を考慮して適宜設定され得る。
【００１９】
ソースバスライン１４の内の１本に断線１４ｏが発生した場合、図１中、断線部分１４ｏより下（□で示したソース入力端子と分断される側）のソースバスライン１４にＴＦＴ１６を介して接続されている画素電極１７にはソース信号（表示信号）が供給されないので、線状の表示欠陥となる。このとき、断線が発生したソースバスライン１４と補助配線１８とが交差する２つの部分１４ａと１４ｂとにおいて、当該ソースバスライン１４と補助配線１８とを短絡させる。このように断線が発生したソースバスライン１４を補助配線１８と２箇所で接続すると、当該ソースバスライン１４には両側からソース信号（表示信号）が供給されるので、当該ソースバスライン１４に接続されている全ての画素電極１７にソース信号が供給され、線状の表示欠陥は修復される。
【００２０】
このとき、補助配線１８に接続されたソースバスライン１４を介してソース信号が供給される画素電極１７に至る配線経路は、正常なソースバスライン１４に接続された画素電極１７に至る配線経路よりも長い。従って、補助配線１８の電気抵抗は低いことが好ましく、補助配線１８は短いことが好ましい。
【００２１】
特許文献１に記載の構成では、補助配線が表示領域外かつ対向基板の枠外に設けられていたのに対し、液晶表示装置１００では、対向電極２２と対向する領域に補助配線１８を設けているので、補助配線１８を短くでき、また、額縁領域１０Ｆを狭くすることができるという利点が得られる。
【００２２】
しかしながら、単純に、補助配線１８を対向電極２２と対向する領域に形成すると、補助配線１８と対向電極２２との間の寄生容量によって、ソース信号が遅延することなる。本実施形態の液晶表示装置１００は、この問題を以下のように解決している。
【００２３】
図２に示すように、本実施形態の液晶表示装置１００において、ブラックマトリクス２６の補助配線１８と対向する部分は、貫通孔２６ａを含んでいる。すなわち、補助配線１８と対向電極２２との間に存在する液晶層３０は、他の部分よりもブラックマトリクス２６の厚さ分だけ厚さが大きい部分を含んでいる。このような構成を有することによって、補助配線１８と対向電極２２との間に形成される寄生容量を小さくすることができる。なお、ブラックマトリクス２６の貫通孔２６ａに代えて凹部を形成してもよく、ブラックマトリクス２６の補助配線１８と対向する部分に、他の部分よりも厚さが小さい部分を設ければよい。もちろん、寄生容量を減少させるという観点からは、補助配線１８と対向する、ブラックマトリクス２６の部分の全体を貫通孔２６ａとすることが好ましい。
【００２４】
ブラクックマトリクス２６は黒色樹脂層を用いて形成することが好ましく、厚さは１μｍから３μｍ程度あることが好ましい。また、感光性を有する黒色樹脂を用いると、フォトリソグラフィプロセスを用いて容易に貫通孔２６ａまたは凹部を形成することができる。
【００２５】
図３に比較例のＴＦＴ型液晶表示装置２００の模式的な断面図を示す。液晶表示装置１００と同じ構成要素は共通の参照符号で示し、その説明を省略する。
【００２６】
液晶表示装置２００において、ブラックマトリクス２６’は一定の厚さで形成されており、補助配線１８と対向する部分も他の部分と同じ厚さを有している。額縁領域１０Ｆを狭くするために、液晶表示装置２００のように、特許文献１に記載されている補助配線１８を単純に対向電極２２と対向する位置に設けると、補助配線１８と対向電極２２との間で寄生容量が形成され、ソース信号の遅延の原因となる。
【００２７】
図２と図３とを比較すれば明らかなように、本実施形態の液晶表示装置１００は、ブラックマトリクス２６の補助配線１８と対向する部分が他の部分よりも厚さが小さい部分２６ａを含むので、補助配線１８と対向電極２２との間に形成される寄生容量は液晶表示装置２００よりも小さく、ソース信号の遅延が抑制されている。
【００２８】
ここでは、ソースバスライン１４に断線１４ｏが発生した場合について説明したが、ゲートバスライン１２に断線が発生した場合も同様である。
【００２９】
なお、補助配線１８とソースバスライン１４またはゲートバスライン１２とを短絡させる方法としては、レーザ照射法など公知の種々の方法を用いることができる。
【産業上の利用可能性】
【００３０】
本発明は、ＴＦＴ型液晶表示装置に広く用いることができる。
【図面の簡単な説明】
【００３１】
【図１】本発明による実施形態のＴＦＴ型液晶表示装置１００の模式的な平面図である。
【図２】図１のＡ−Ｂ線に沿った液晶表示装置１００の模式的な部分断面図である。
【図３】比較例のＴＦＴ型液晶表示装置２００の模式的な断面図である。
【符号の説明】
【００３２】
１０  ＴＦＴ基板
１１、２１  ガラス基板
１２  ゲートバスライン
１４  ソースバスライン
１４ｏ  断線部
１４ａ、１４ｂ  接続部
１６  ＴＦＴ
１７  画素電極
１８  補助配線
２０  対向基板
２２  対向電極
２４  カラーフィルタ層
２６  ブラックマトリクス
２６ａ  貫通孔
【図１】
2010014973.tif 000003
【図２】
2010014973.tif 000004
【図３】
2010014973.tif 000005